(57)【要約】【課題】  分包シート連続体に対する線引き作業を行い易い線引き具を提供することを課題とする。【解決手段】  薬剤Ｐが包まれた複数の分包部Ｃが連なって構成された分包シート連続体Ｔに、前記複数の分包部Ｃが連なる連なり方向に沿って線を引くための線引き具１であって、前記分包シート連続体Ｔに線を引くためのインク付与部２を保持し、該インク付与部２を前記分包シート連続体Ｔに当てるように構成された保持部４と、前記分包シート連続体Ｔを支持する支持台５０であって、前記保持部４に保持された前記インク付与部２と共に前記分包シート連続体Ｔを挟むように構成された支持台５０と、前記分包シート連続体Ｔに対して前記インク付与部２が当てられた状態で前記分包シート連続体Ｔを前記連なり方向にガイドするように構成されたガイド部６と、を備えることを特徴とする線引き具１。【選択図】図２
2018082992.tif 000002
【特許請求の範囲】
【請求項１】
薬剤が包まれた複数の分包部が連なって構成された分包シート連続体に、前記複数の分包部が連なる連なり方向に沿って線を引くための線引き具であって、
前記分包シート連続体に線を引くためのインク付与部を保持し、該インク付与部を前記分包シート連続体に当てるように構成された保持部と、
前記分包シート連続体を支持する支持台であって、前記保持部に保持された前記インク付与部と共に前記分包シート連続体を挟むように構成された支持台と、
前記分包シート連続体に対して前記インク付与部が当てられた状態で前記分包シート連続体を前記連なり方向にガイドするように構成されたガイド部と、を備えることを特徴とする線引き具。
【請求項２】
前記分包シート連続体を挟持する一対の挟持部を備え、
前記一対の挟持部のうちの一方の挟持部は、前記保持部を有し、
前記一対の挟持部のうちの他方の挟持部は、前記支持台を有する、請求項１に記載の線引き具。
【請求項３】
前記一対の挟持部同士の間には、前記分包シート連続体の前記複数の分包部の通過を許容するための凹部が形成されている、請求項２に記載の線引き具。
【請求項４】
前記一対の挟持部は、作業者が把持するための把持部である、請求項２又は３に記載の線引き具。
【発明の詳細な説明】
【技術分野】
【０００１】
本発明は、分包シート連続体に線を引くための線引き具に関する。
【背景技術】
【０００２】
従来から、患者等の薬剤服用者が、薬剤を誤って服用するのを防止するために、１日における服用のタイミングや服用者を一目で区別できるよう、薬局等では、薬剤が包まれた複数の分包部が連なって構成された分包シート連続体に、特定の色の線を引くという作業が行われている。
【０００３】
例えば、薬剤師等の調剤業務従事者は、特許文献１に記載された定規を用いて、分包シート連続体に線を引く作業を行っている。
【０００４】
定規を用いて分包シート連続体に線を引くことで、線引き用の装置を備えた薬剤分包装置等の大がかりな装置を必要とすることなく、安価に、且つ手軽に分包シート連続体に線を引くことができる。
【先行技術文献】
【特許文献】
【０００５】
【特許文献１】特開２０１４−１７１５２７号公報
【発明の概要】
【発明が解決しようとする課題】
【０００６】
ところで、上記特許文献１の定規を用いて分包シート連続体に線引きする作業では、まず作業台上に定規を設置し、該定規の上に帯状の分包シート連続体を広げる。分包シート連続体と定規に形成された溝とを位置合わせして、該溝に沿って線を引いていく。定規の上に載せた分包シートの線を引き終えると、線引きが終了した分包シート連続体を長手方向にずらし、線引きが未終了の分包シート連続体を定規の上に移動させる。続いて、分包シート連続体と溝とを位置合わせして、該溝に沿って線を引いていく。薬剤師等の作業者は、分包シート連続体の一端から他端に亘って線を引き終えるまで、分包シート連続体をずらして定規の上に移動させる作業、分包シート連続体と溝とを位置合わせする作業、及び線を引く作業を繰り返さなければならない。特に、服用回数や服用日数が多く、分包シート連続体が長い場合には、上記の作業を何度も繰り返さなければならない。
【０００７】
以上のように、定規を用いて線引きする作業は、作業性が悪く、作業者にとって負担となっていた。
【０００８】
そこで、本発明は、かかる実情に鑑み、分包シート連続体に対する線引き作業を行い易い線引き具を提供することを課題とする。
【課題を解決するための手段】
【０００９】
本発明に係る線引き具は、薬剤が包まれた複数の分包部が連なって構成された分包シート連続体に、前記複数の分包部が連なる連なり方向に沿って線を引くための線引き具であって、前記分包シート連続体に線を引くためのインク付与部を保持し、該インク付与部を前記分包シート連続体に当てるように構成された保持部と、前記分包シート連続体を支持する支持台であって、前記保持部に保持された前記インク付与部と共に前記分包シート連続体を挟むように構成された支持台と、前記分包シート連続体に対して前記インク付与部が当てられた状態で前記分包シート連続体を前記連なり方向にガイドするように構成されたガイド部と、を備えることを特徴とする。
【００１０】
かかる構成によれば、線引き具は、インク付与部、保持部、支持台、及びガイド部を備え、且つ保持部を介して、インク付与部が支持台に支持された分包シート連続体に当てられた状態で、ガイド部が該分包シート連続体を連なり方向にガイドするように構成されている。そのため、作業者は、例えば、インク付与部が当てられた分包シート連続体を連なり方向に引っ張るだけで、分包シート連続体が連なり方向にガイドされて、該分包シート連続体に線を引くことができる。このように、作業者は、ペンや定規等の線を引くための道具を準備することなく、線引き具を準備するだけで、分包シート連続体に対する線引き作業を行うことができる。
【００１１】
本発明の一態様として、前記分包シート連続体を挟持する一対の挟持部を備え、前記一対の挟持部のうちの一方の挟持部は、前記保持部を有し、前記一対の挟持部のうちの他方の挟持部は、前記支持台を有していてもよい。
【００１２】
かかる構成によれば、線引き具は、分包シート連続体を挟持する一対の挟持部を備え、一対の挟持部のうちの一方の挟持部は、保持部を有し、一対の挟持部のうちの他方の挟持部は、支持台を有しているので、作業者は、一対の挟持部を介して分包シート連続体を一方の手で把持しつつ、他方の手で分包シート連続体を把持することができる。そのため、作業者は、両者を持った手元で線引き作業をすることができるので、狭い作業スペースでも線引き作業を行うことができる。
【００１３】
また、作業者は、分包シート連続体内の薬剤と一対の挟持部とが干渉しないように、一対の挟持部を介して分包シート連続体を挟持することで、分包部内の薬剤を該分包部の外側から目視しながら線引き作業を行うことができる。そのため、作業者は、分包部内の薬剤が処方箋に基づいているかを確認する監査作業を行いながら、線引き作業を行うことができる。
【００１４】
本発明の他態様として、前記一対の挟持部同士の間には、前記分包シート連続体の前記複数の分包部の通過を許容するための凹部が形成されていてもよい。
【００１５】
かかる構成によれば、一対の挟持部同士の間には、分包シート連続体の前記複数の分包部の通過を許容するための凹部が形成されている。そのため、作業者は、分包シート連続体を該凹部に位置させて線引き作業を行うことで、分包シート連続体が一対の挟持部に引っ掛かることなく、分包シート連続体に線を引くことができる。このように、作業者は、スムーズに線引き作業を行うことができる。
【００１６】
本発明の他態様として、前記一対の挟持部は、作業者が把持するための把持部であってもよい。
【００１７】
かかる構成によれば、作業者は、一対の挟持部を一方の手だけでしっかりと把持することができるので、安定して線引き作業を行うことができる。
【発明の効果】
【００１８】
以上より、本発明によれば、分包シート連続体に対する線引き作業を行い易い線引き具を提供することができる。
【図面の簡単な説明】
【００１９】
【図１】図１は、本発明の一実施形態に係る線引き具の外観図である。
【図２】図２は、同実施形態に係る線引き具の使用状態の正面断面図である。
【図３】図３は、同実施形態に係る線引き具の非使用状態の正面断面図である。
【図４】図４は、同実施形態に係る線引き具の分解図であって、第１挟持部を説明するための分解図である。
【図５】図５は、同実施形態に係る線引き具の分解図であって、第２挟持部を説明するための分解図である。
【図６】図６は、線引き具の使い方を説明するための図である。
【図７】図７は、線引き具の第１変形例である。
【図８】図８は、線引き具の第２変形例である。
【図９】図９は、線引き具の第３変形例である。
【図１０】図１０は、線引き具の第４変形例である。
【発明を実施するための形態】
【００２０】
線引き具は、薬剤が包まれた複数の分包部が連なって構成された分包シート連続体に、前記複数の分包部が連なる連なり方向に沿って線を引くために使用される。以下、本発明の一実施形態に係る線引き具について、図面を参照しつつ説明する。
【００２１】
図１〜図３に示すように、線引き具１は、分包シート連続体Ｔに線を引くためのインク付与部２と、該インク付与部２にインクを供給するためのインク貯留部３と、インク付与部２を保持する保持部４と、使用時には、該保持部４と共に分包シート連続体Ｔを挟持し、非使用時には、インク付与部２が乾かないように該インク付与部２を収納する収納部５であって、インク付与部２と共に分包シート連続体Ｔを挟むように構成された支持台５０を有する収納部５と、分包シート連続体Ｔを長手方向にガイドするように構成されたガイド部６とを有する本体部１０を備える。本実施形態の線引き具１は、分包シート連続体Ｔを挟持するように構成されており、本体部１０は、分包シート連続体Ｔを挟持する一対の挟持部７８と、インク付与部２を収納部５に収納した非使用状態で一対の挟持部７８をロックするロック部９とを有している。
【００２２】
インク付与部２は、分包シート連続体Ｔにインクを付与（付着）するように構成され、インク付与部２の移動軌跡上に線が引かれるように構成されている。インク付与部２は、例えば、フェルトペンの先端に設けられたペン先のように、フェルト、合成繊維、又は合成樹脂等で形成されている。具体的には、図２及び図３に示すように、インク付与部２は、柱状に形成されており、分包シート連続体Ｔに線が明確に表されるように、先端が所定の太さを有するように形成されている。
【００２３】
図２に示すように、インク付与部２は、先端に、軸方向外方に向けて突出する湾曲面を有する湾曲部２１と、該湾曲部２１から基端側に向けて延びる胴部２２とを有する。インク付与部２は、先端に湾曲部２１を有することによって、線引き作業の際に、該湾曲部２１が分包シート連続体Ｔに沿って当接するように構成されている。そのため、インク付与部２は、先端が角状に形成されているインク付与部２と比較して、広い範囲で分包シート連続体Ｔに当接するので、細く形成されていても、太い線を引くことができる。また、本実施形態のインク付与部２では、湾曲部２１が分包シート連続体Ｔに当接するので、先端に角部が形成されているインク付与部２と比較して、分包シート連続体Ｔに対して、折れや、線引きの跡（インク付与部２の跡）が付き難くなっている。
【００２４】
インク貯留部３は、インクを貯留するための有底筒状の貯留部本体３１と、該貯留部本体３１を閉鎖する蓋部３２とを有する。蓋部３２は、貯留部本体３１に対して嵌合するためのスカート部３２１を有し、該スカート部３２１が貯留部本体３１の側壁３１１に対して嵌合することで、貯留部本体３１を閉鎖するように構成されている。具体的には、蓋部３２は、スカート部３２１が貯留部本体３１の側壁３１１に内嵌合することで、貯留部本体３１を閉鎖している。この構成により、スカート部３２１が貯留部本体３１内に収まった状態となるため、スカート部３２１が貯留部本体３１の側壁３１１の外側に露出している場合に比べて、蓋部３２が不用意に外れ難くなっている。
【００２５】
インク貯留部３は、貯留部本体３１と蓋部３２とでインクを貯留するための貯留領域Ｚを形成している。本実施形態では、インク貯留部３は、インクを吸収したインク吸収体Ｖを収容するものである。そのため、貯留したインクがインク貯留部３から漏れ難くなっている。しかしながら、インク貯留部３は、液状のインクを直接貯留することもできる。
【００２６】
インク付与部２は、基端が貯留領域Ｚに達するように、貯留部本体３１に挿通されている。本実施形態では、インク吸収体Ｖがリング状に形成されており、インク付与部２は、貯留領域Ｚ内で、該インク吸収体Ｖに密着状態で挿通されている。インク付与部２とインク吸収体Ｖとが接触していることで、インク付与部２は、インクを含浸した状態で保たれている。本実施形態では、インク付与部２及びインク吸収体Ｖは、交換可能に構成されている。
【００２７】
保持部４は、インク付与部２を保持する部分である。保持部４は、インク付与部２を分包シート連続体Ｔに当てるように構成されている。本実施形態の保持部４は、図２に示すように、筒状に形成されている。保持部４は、インク付与部２を挿通した状態で保持している。保持部４は、インク付与部２の先端が先端面４１から突出するように保持部４を保持することで、インク付与部２を分包シート連続体Ｔに当てるように構成されている。本実施形態では、保持部４は、インク付与部２の湾曲部２１と胴部２２との境界Ｘ近傍に先端面４１が位置するように、インク付与部２を保持している。そのため、インク付与部２は、保持部４から先端がわずかに突出した状態となっている。保持部４は、内周面をインク付与部２の外周面に密着させた状態でインク付与部２を保持している。
【００２８】
保持部４は、インク付与部２が外れないように保持するための保持手段４２を有する。本実施形態の保持部４は、内周面の基端側に、径内方向に突出する保持手段４２としての突出部４２が形成されている。保持部４は、突出部４２がインク付与部２に対して食い込むか、又は突出部４２がインク付与部２の中途部に形成された凹部に係合する（嵌る）ことで、インク付与部２をしっかりと保持している。保持部４は、インク付与部２を抜き差しできるように構成されている。そのため、インク付与部２は、インク吸収体Ｖの交換と同時に、又はインク付与部２自体の劣化時に、容易に交換することができる。
【００２９】
図２及び図３に示すように、収納部５は、有底筒状に形成されている。収納部５の内径は、インク付与部２の外径よりも大きく、保持部４の外径よりも小さく形成されていると共に、収納部５と保持部４とを、互いの中心が同じ軌跡上に位置するように位置合わせすると、収納部５の内周縁５ａは、保持部４の内周縁４ａと外周縁４ｂとの間に位置するように構成されている。そのため、収納部５とインク付与部２を保持した保持部４とを、互いの中心の軌跡を一致させた状態で接近させると、収納部５の端面５１と保持部４の先端面４１とが当接する。収納部５は、線引き具１の使用時（図２の状態）には、端面５１と保持部４の先端面４１及びインク付与部２の先端との間で分包シート連続体Ｔを挟持できるように構成されている。即ち、収納部５の端面５１は、インク付与部２に対向して位置し、分包シート連続体Ｔを支持する支持台５０である。線引き具１の非使用時（図３の状態）には、インク付与部２が乾かないように該インク付与部２を収納することができる。尚、収納部５の中心と保持部４の中心とは、例えば、同半径の円軌跡上や、直線軌跡上で一致していてもよい。
【００３０】
本実施形態では、収納部５と保持部４との間に分包シート連続体Ｔを位置させた状態で、例えば、保持部４を収納部５に接近させると（収納部５を保持部４に接近させてもよい）、インク付与部２の先端が分包シート連続体Ｔに当接し、収納部５の端面５１（支持台５０）とインク付与部２及び保持部４の先端面４１との間で分包シート連続体Ｔを挟持した状態となる。即ち、本実施形態では、インク付与部２が保持部４によって分包シート連続体Ｔに当てられた状態では、分包シート連続体Ｔは、収納部５とインク付与部２の先端及び保持部４とによって挟持された状態となっている。この場合、図２に示すように、分包シート連続体Ｔは、収納部５の端面５１（支持台５０）のうちの、外周縁近傍で支持されている。分包シート連続体Ｔが挟持された状態とは、例えば、図２に示すように、保持部４の先端面４１と収納部５の端面５１（支持台５０）との間に隙間が形成された状態や、保持部４の先端面４１と収納部５の端面５１（支持台５０）とが分包シート連続体Ｔを介して密接している状態が含まれる。
【００３１】
収納部５の内径は、保持部４の外径よりも小さく形成されているので、収納部５は、保持部４が収納部５内に収まらないようになっている。即ち、収納部５に対してインク付与部２と保持部４とが押し付けられても（図３の状態）、収納部５の端面５１（支持台５０）と保持部４の先端面４１とが当接するので、保持部４が収納部５内に落ち込むことがない。このように、収納部５は、インク付与部２の先端が収納部５の底部に当接するのを防止し、インク付与部２の先端が傷まないように、該インク付与部２を収納できるように構成されている。図３に示すように、本実施形態では、収納部５は、非使用時に保持部４が当接する部分がゴム製の部材によって形成されており、非使用時には、保持部４の先端面４１が収納部５の端面５１に食い込んだ状態となることでシールが形成され、インク付与部２の乾燥を防ぐ効果を向上させている。また、収納部５は、インク付与部２を収納できるように構成されているので、インク付与部２が不用意に分包シート連続体Ｔや手指などに付着し、インク付与部２が付着した部分が汚れてしまうことを防ぐことができる。
【００３２】
ガイド部６は、インク付与部２が保持部４によって分包シート連続体Ｔに対して当てられた状態で分包シート連続体Ｔを連なり方向（該分包シート連続体Ｔの長手方向）にガイドするように構成されている。ガイド部６は、作業者の作業のやり易さに応じて、作業者が線引き作業中に適宜、選択、及び変更できるように構成されている。ガイド部６は、一対の挟持部７８に設けられている。ガイド部６については後述する。
【００３３】
一対の挟持部７８は、分包シート連続体Ｔを挟持する部分である。図２に示すように、一対の挟持部７８は、分包シート連続体Ｔ内の薬剤Ｐとの干渉を回避した状態で、分包シート連続体Ｔを挟持できるように構成されている。本実施形態では、一対の挟持部７８同士の間には、分包シート連続体Ｔの複数の分包部Ｃの通過を許容するための凹部Ｒが形成されている。具体的には、一対の挟持部７８は、一端同士が接続されており、一対の挟持部７８同士の間には、分包シート連続体Ｔと該一対の挟持部７８とが接触するのを回避するための凹部Ｒが形成されている。一対の挟持部７８は、作業者が把持するための把持部となっている。また、一対の挟持部７８は、一端同士が接続され、他端同士が接離可能に構成されている。本実施形態では、一対の挟持部７８のうちの少なくとも一方の挟持部が、長辺と短辺とを有する細長い片状の部材で形成されている。以下、一対の挟持部７８のうちの一方の挟持部を第１挟持部７とし、他方の挟持部を第２挟持部８とする。尚、説明上、一対の挟持部７８が互いに対向する側を内側、該対向する側とは反対側を外側と称する。
【００３４】
図４に示すように、第１挟持部７は、細長い片状の部材である。図４は、図１における第１挟持部７を１８０度反転させた状態の図である。第１挟持部７には、長手方向における両端のうちの一端側に、第２挟持部８と接続するための接続手段７Ｊが設けられ、他端側に、インク付与部２、インク貯留部３、及び保持部４が設けられている（組み込まれている）。本実施形態では、第１挟持部７は、長方形板状の第１挟持片７１と、該第１挟持片７１の端縁から内側に延びる第１延出片７２とを有する。第１挟持部７は、例えば、樹脂製材料等の、軽量な材料で形成されている。
【００３５】
第１挟持片７１は、インク貯留部３及び保持部４と一体的に形成されている。具体的には、第１挟持片７１は、他端側における外面からインク貯留部３の側壁３１１が延出し、内面から保持部４が延出するように形成されている。
【００３６】
第１延出片７２は、薄板状の部材である。第１延出片７２は、第１挟持片７１の長辺側の端縁から、該第１挟持片７１の厚み方向内側に延出する一対の長手片部７２１と、第１挟持片７１の他端側における短辺側の端縁から内側に延出する短手片部７２２とを有する。
【００３７】
一対の長手片部７２１は、第１挟持片７１の一端から他端に亘って端縁から延出している。一対の長手片部７２１は、第１挟持片７１の長手方向に沿った縦方向の長さが、第１挟持片７１の厚み方向に沿った延出方向の長さよりも長い片状部材である。一対の長手片部７２１は、同形状に形成されている。そのため、一方の長手片部７２１について説明する。長手片部７２１は、一端側に位置する一端片部７２１ａと、他端側に位置する他端片部７２１ｂと、一端片部７２１ａと他端片部７２１ｂとの間に位置する中央片部７２１ｃとを有する。長手片部７２１は、一端片部７２１ａ及び他端片部７２１ｂの延出方向の長さが中央片部７２１ｃの延出方向の長さよりも長くなるように構成されている。そのため、長手片部７２１には、中央部が外側に向けて凹む凹状部７０が形成されている。
【００３８】
一端片部７２１ａは、略長方形状に形成されている。一端片部７２１ａは、中央片部７２１ｃ側に位置する側端面７２１ａ１であって、中央片部７２１ｃの端面７２１ｃ１と連続する側端面７２１ａ１が、厚み方向と略同方向に延びるように構成されている。一端片部７２１ａには、後述する第２挟持部８の凸部８０１と嵌合する嵌合孔７０１と、後述する第２挟持部８の突起片８０２が移動する移動孔７０２とが形成されている。
【００３９】
他端片部７２１ｂは、第１挟持片７１から延出した保持部４と短手方向で重なる位置に設けられている。中央片部７２１ｃは、一端片部７２１ａと他端片部７２１ｂとを繋いでいる。
【００４０】
短手片部７２２は、一対の長手片部７２１の他端同士を接続している。図４に示すように、短手片部７２２は、外面に、ロック部９が掛止される掛止部７２２ａを有する。掛止部７２２ａは、上下２段で構成されている。ロック部９が上段に位置する掛止部７２２ａに掛止されると、一対の挟持部７８同士はきつく留められる。ロック部９が下段に位置する掛止部７２２ａに掛止されると、一対の挟持部７８同士は緩く留められる。上段に位置する掛止部７２２ａは、線引き具１の保管時等、線引き具１を比較的長期に使用しない場合に、インク付与部２が乾くのを防止するために使用される。下段に位置する掛止部７２２ａは、線引き具１を頻繁に使用する際や、一対の挟持部７８で分包シート連続体Ｔを挟持する際等に使用される。掛止部７２２ａとロック部９との関係は後述する。
【００４１】
図５に示すように、第２挟持部８は、細長い片状の部材である。第２挟持部８は、長手方向における両端のうちの一端側に、第１挟持部７と接続するための接続手段８Ｊが設けられ、他端側に、収納部５が設けられている（組み込まれている）。本実施形態では、第２挟持部８は、長方形板状の第２挟持片８１と、該第２挟持片８１の端縁から内側に延びる第２延出片８２とを有する。第２挟持部８は、例えば、樹脂製材料等の、軽量な材料で形成されている。
【００４２】
第２挟持片８１は、収納部５を構成するための基台Ｋと一体的に形成されている。基台Ｋは、第２挟持片８１の内面から厚み方向内側に突出するように形成されている。該基台Ｋには、外側に向かって凹んだ形状をなす受入凹所Ｈが形成されており、該受入凹所Ｈ内に筒状部材Ｄが嵌め入れられている。基台Ｋは、側壁と該筒状部材Ｄと受入凹所Ｈの底部とで収納部５を構成している。本実施形態の第２挟持片８１には、他端近傍に段差８１０が形成されている。該段差８１０を境に一端側を第１片部８１１、他端側を第２片部８１２とする。本実施形態の基台Ｋは、第２片部８１２に設けられている。
【００４３】
第２延出片８２は、薄板状の部材である。第２延出片８２は、第２挟持片８１における第１片部８１１の長辺側の端縁から、該第１片部８１１（第２挟持片８１）の厚み方向内側に延出する一対の長手片部８２１と、第２挟持片８１の一端側における短辺側の端縁から内側に延出する短手片部８２２とを有する。
【００４４】
一対の長手片部８２１は、第１片部８１１の一端から他端に亘って端縁から延出している。一対の長手片部８２１は、第１片部８１１の長手方向に沿った縦方向の長さが、第１片部８１１の厚み方向に沿った延出方向の長さよりも長い片状部材である。一対の長手片部８２１は、同形状に形成されている。そのため、一方の長手片部８２１について説明する。長手片部８２１は、一端側に位置する一端片部８２１ａと、該一端片部８２１ａから他端側に向かって縦方向に延びる中央片部８２１ｃとを有する。長手片部８２１は、一端片部８２１ａの延出方向の長さが中央片部８２１ｃの延出方向の長さよりも長く、中央片部８２１ｃの延出方向の長さが段差８１０の高さと略同じとなるように構成されている。また、基台Ｋは、第２片部８１２に設けられている。そのため、第２挟持部８には、一端片部８２１ａと、中央片部８２１ｃと、基台Ｋとによって、外側に向けて凹む凹状部８０が形成されている。
【００４５】
一端片部８２１ａは、略長方形状に形成されている。一端片部８２１ａは、中央片部８２１ｃ側に位置する側端面８２１ａ１であって、中央片部８２１ｃの端面８２１ｃ１と連続する側端面８２１ａ１が、厚み方向と略同方向に延びるように構成されている。一端片部８２１ａには、第１挟持部７の嵌合孔７０１に嵌る円盤状の凸部８０１と、第１挟持部７の移動孔７０２に嵌る突起片８０２とが形成されている。
【００４６】
一対の挟持部７８は、第２挟持部８の凸部８０１が第１挟持部７の嵌合孔７０１に嵌ることで構成されるヒンジ構造を有し、互いに接離可能に構成されている。一対の挟持部７８は、第１挟持部７と第２挟持部８とが所定の間隔以上離間しないように構成されている。即ち、第２挟持部８の突起片８０２と第１挟持部７の移動孔７０２とで、ストッパー構造を構成している。具体的には、突起片８０２が移動孔７０２内を移動し、該突起片８０２が移動孔７０２の内周縁における最内端まで移動することで、一対の挟持部７８同士が離間する動きが停止するように構成されている。本実施形態では、図２に示すように、第１挟持部７と第２挟持部８との間に、第１挟持部７と第２挟持部８とをヒンジの軸を中心として離れる方向に付勢する付勢手段Ｂ１が設けられている。付勢手段Ｂ１は、一対の挟持部７８の一端側に設けられている。具体的には、付勢手段Ｂ１は、ヒンジ構造の他端側に隣接して設けられている。本実施形態の付勢手段Ｂ１は、圧縮コイルばねである。
【００４７】
一対の挟持部７８は、第１挟持部７と第２挟持部８とが接続された状態で、第１挟持部７の一端片部７２１ａと第２挟持部８の一端片部８２１ａとが短手方向で重なるように構成されている。そのため、一対の挟持部７８で分包シート連続体Ｔを挟持すると、第１挟持部７の側端面７２１ａ１及び第２挟持部８の側端面８２１ａ１のうちの少なくとも一方は、分包シート連続体Ｔの幅方向における両端縁のうちの一方の端縁をガイド可能に構成されている。そのため、本実施形態では、第１挟持部７の側端面７２１ａ１及び第２挟持部８の側端面８２１ａ１は、ガイド部６である。本実施形態では、第１挟持部７の一端片部７２１ａ及び第２挟持部８の一端片部８２１ａは同形状となっており、第１挟持部７の一端片部７２１ａと第２挟持部８の一端片部８２１ａとは、第１挟持部７の側端面７２１ａ１と第２挟持部８の側端面８２１ａ１とが短手方向で面一となるように重ねられる。以下、第１挟持部７の側端面７２１ａ１及び第２挟持部８の側端面８２１ａ１をまとめて、一対の挟持部７８の側端面７２１ａ１，８２１ａ１と称する場合がある。
【００４８】
図１及び図２に示すように、一対の挟持部７８には、第１挟持部７と第２挟持部８とが対向した状態で、第１挟持部７に形成された凹状部７０と第２挟持部８に形成された凹状部８０との間が短手方向に対して開口した凹部Ｒが形成されている。
【００４９】
図２及び図５に示すように、ロック部９は、第２挟持片８１の他端側に設けられている。ロック部９は、第２片部８１２の外面側に位置する板状のベース部９１と、該ベース部９１の端縁から該ベース部９１の厚み方向に延びる側壁部９２とを有する。ロック部９は、第２挟持片８１に対して短手方向を中心に回動可能に取り付けられている。具体的には、ロック部９は、第２挟持片８１に対して回動することで、ベース部９１の板面方向が第２挟持片８１の板面方向に一致した一致状態（図５の状態）と、ベース部９１の板面方向が第２挟持片８１の板面方向に対して傾斜した傾斜状態（図２の状態）とに変更可能に構成されている。本実施形態では、図２に示すように、第２挟持部８とロック部９との間に、該ロック部９を回動方向下方側（一致状態となる方向）に付勢する付勢手段Ｂ２が設けられている。付勢手段Ｂ２は、一対の挟持部７８の一端側に設けられている。具体的には、付勢手段Ｂ１は、第２挟持部８の基台Ｋの底部とロック部９のベース部９１との間に設けられている。本実施形態の付勢手段Ｂ２は、圧縮コイルばねである。
【００５０】
側壁部９２は、短手方向で対向する一対の第１側壁部９２１と、該一対の第１側壁部９２１の他端側同士を繋ぐ第２側壁部９２２とを有する。一対の第１側壁部９２１は、同形状に形成されている。そのため、一方の第１側壁部９２１について説明する。図５に示すように、第１側壁部９２１は、ベース部９１から、該ベース部９１の厚み方向に対して一端側に傾斜して延びる第１端面９２１ａと、該第１端面９２１ａから他端側に向けてベース部９１の板面方向と同方向に延びる第２端面９２１ｂと、該第２端面９２１ｂからベース部９１の厚み方向に延びる第３端面９２１ｃとを有する。該第３端面９２１ｃは、一対の挟持部７８で分包シート連続体Ｔを挟持すると、分包シート連続体Ｔの幅方向における両端縁のうちの一方の端縁をガイド可能に構成されている。そのため、本実施形態では、第３端面９２１ｃは、ガイド部６である。
【００５１】
第２側壁部９２２には、内面に爪片９２２ａが形成されている。ロック部９は、付勢手段Ｂ１の付勢力に抗して爪片９２２ａが上段に位置する掛止部７２２ａに引っ掛かることで、一対の挟持部７８同士を閉じて、線引き具１を非使用状態にする（図３の状態）。また、ロック部９は、付勢手段Ｂ１の付勢力に抗して爪片９２２ａが下段に位置する掛止部７２２ａに引っ掛かることで、線引き具１を使用状態にする（図２の状態）。そして、ロック部９は、付勢手段Ｂ２の付勢力により、爪片９２２ａが掛止部７２２ａに引っ掛かった状態を維持できる。即ち、付勢手段Ｂ１が一対の挟持部７８同士を離間する方向に付勢すると共に、付勢手段Ｂ２がロック部９を回動方向下方側に付勢することによって、線引き具１を、使用状態、及び非使用状態でロックすることができる。
【００５２】
以上のように、本実施形態の線引き具１は、一対の挟持部７８の長手方向に少なくとも２つのガイド部を有している。図５に示すように、本実施形態の線引き具１は、側端面７２１ａ１，８２１ａ１が分包シート連続体Ｔをガイドする状態（分包シート連続体ＴＡ）、又は第３端面９２１ｃが分包シート連続体Ｔをガイドする状態（分包シート連続体ＴＢ）に、ガイド部６を選択可能に構成されている。
【００５３】
本実施形態に係る線引き具１の説明は以上である。以下、本実施形態に係る線引き具１の使用方法について説明する。まず、分包部Ｃ、及び分包シート連続体Ｔについて説明する。
【００５４】
図６に示すように、分包シート連続体Ｔは、例えば、薬局や病院等で提供されるような、錠剤や粉状の薬剤Ｐを服用量ずつ別々に収容するように構成されたシート状の包装体である。分包シート連続体Ｔは、薬剤Ｐが包まれた複数の分包部Ｃが連なることで構成されている。分包シート連続体Ｔは、例えば、１日における服用回数と服用日数とを乗算した数の複数の分包部Ｃが連なることで構成されている。分包シート連続体Ｔは、例えば、透明な樹脂シートやグラシン紙で形成されている。監査作業を行いながら線引き作業を行う観点から、分包シート連続体Ｔは、分包部Ｃの内部の薬剤Ｐを目視できる程度に透明である方が好ましい。分包シート連続体Ｔは、例えば、一枚の長方形状の長尺なシート部材が、長手方向に沿って半分に折り曲げられ、シート部材の端縁同士が張り合わされることによって形成されている。即ち、図２（図６も参照）に示すように、分包シート連続体Ｔは、長手方向に形成された折り曲げ部Ｗと、該折り曲げ部Ｗを境に幅方向における一方側に広がる第１シートＴ１と、該折り曲げ部Ｗを境に幅方向における他方側に広がる第２シートＴ２と、第１シートＴ１と第２シートＴ２とを張り合わせるシール部Ｓと、を備える。
【００５５】
図６に示すように、シール部Ｓは、シート部材の長手方向に沿って形成された第１シール部Ｓ１と、シート部材の幅方向に沿って形成された複数の第２シール部Ｓ２とを有する。第１シール部Ｓ１は、半分に折られた状態のシート部材における折り曲げ部Ｗ側を一端として、シート部材の他端に近い位置に形成されている。複数の第２シール部Ｓ２は、長手方向に所定の間隔を開けて、第１シール部Ｓ１から幅方向一端側に延びている。第１シール部Ｓ１、隣り合う第２シール部Ｓ２、及び折り曲げ部Ｗによって区画された空間が、薬剤Ｐを収容するための薬剤収容部Ｑとなっている。各第２シール部Ｓ２には、シート部材の幅方向に沿ってミシン目Ｍが形成されている。該ミシン目Ｍにより一包に切り離し可能である２つの第２シール部Ｓ２に挟まれた部分が分包部Ｃである。即ち、１つの分包部Ｃには、１つの薬剤収容部Ｑが形成され、該薬剤収容部Ｑには、薬剤Ｐが収容された状態となっている。
【００５６】
以上のように、分包シート連続体Ｔは、ミシン目Ｍが切り離されることで複数の分包部Ｃ毎に分離されるが、分包シート連続体Ｔとしては、薬剤Ｐが包まれた複数の分包部Ｃが連なって構成されたものとなっている。本実施形態では、薬剤Ｐが包まれた複数の分包部Ｃが連なる連なり方向は、分包シート連続体Ｔの長手方向に一致している。以下、連なり方向を長手方向と称する。尚、一般的に流通している分包シート連続体Ｔの幅方向の長さは７０ｍｍであるが、例えば、幅方向の長さが５０ｍｍとなるように形成された分包シート連続体Ｔも流通している。
【００５７】
図２に示すように、作業者は、ロック部９の爪片９２２ａと第１挟持部７の掛止部７２２ａとのロック状態を解除して、一対の挟持部７８が接離可能な状態とする。続いて、作業者は、一対の挟持部７８を離間させる。作業者が一対の挟持部７８を離間させると、一対の挟持部７８は、分包シート連続体Ｔをガイド部６によってガイドする方向及び一対の挟持部７８の長手方向に直交する方向に開放される。一対の挟持部７８の開放された部分から、分包シート連続体Ｔを第１挟持部７と第２挟持部８との間に通し、一対の挟持部７８によって分包シート連続体Ｔを挟む。本実施形態では、一対の挟持部７８の他端側同士を離間させて、一対の挟持部７８の他端側を開放する。一対の挟持部７８の他端側から一端側に向けて、分包シート連続体Ｔをガイド部６によってガイドする方向と分包シート連続体Ｔの長手方向とが一致するように分包シート連続体Ｔを第１挟持部７と第２挟持部８との間に通し、一対の挟持部７８によって分包シート連続体Ｔを挟む。そして、分包シート連続体Ｔの第１シール部Ｓ１がインク付与部２の先端に位置するように、分包シート連続体Ｔを一対の挟持部７８同士の間に位置させる。作業者は、一対の挟持部７８が分包シート連続体Ｔ内の薬剤Ｐと干渉しないように、一対の挟持部７８を介して分包シート連続体Ｔを挟持する。本実施形態では、図６に示すように、作業者は、薬剤収容部Ｑが一対の挟持部７８に形成された凹部Ｒに位置するように、分包シート連続体Ｔを一対の挟持部７８同士の間に位置させ、一対の挟持部７８を介して分包シート連続体Ｔを挟持する。作業者は、一対の挟持部７８を介して分包シート連続体Ｔを挟持すると、ロック部９の爪片９２２ａを第１挟持部７の下段に位置する掛止部７２２ａに掛止して線引き具１をロック状態にする。作業者が一対の挟持部７８を介して分包シート連続体Ｔを挟持することで、インク付与部２が分包シート連続体Ｔに当たった状態が維持される。
【００５８】
作業者は、例えば、右手で分包シート連続体Ｔを把持し、左手で線引き具１を把持する。図６では、一例として、作業者が、分包シート連続体Ｔの幅方向中央部を右手で把持し、左手で線引き具１の中央部を把持している場合を表したが、線を引き作業を行い易い位置を把持すればよい。例えば、作業者は、左手で分包シート連続体Ｔを把持し、右手で線引き具１を把持してもよい。また、図６では、作業者は、一対の挟持部７８が分包シート連続体Ｔの幅方向に対して傾斜するように線引き具１を把持しているが、作業者は、一対の挟持部７８が分包シート連続体Ｔの幅方向と平行となるように線引き具１を把持してもよい。
【００５９】
作業者は、分包シート連続体Ｔを引っ張ることで分包シート連続体Ｔに線を引くと共に、監査作業を行う。具体的には、作業者は、分包シート連続体Ｔの幅方向一端側の端縁を一対の挟持部７８の側端面７２１ａ１，８２１ａ１に当接させながら、又は該一端側の端縁と側端面７２１ａ１，８２１ａ１との距離が略一定となるように、分包シート連続体Ｔを長手方向右方に引っ張る（図６の矢印）。即ち、ガイド部６は、分包シート連続体Ｔと接することで分包シート連続体Ｔをガイドするものであってもよいし、分包シート連続体Ｔとガイド部６との間隔を略一定の間隔で維持するための目安となるものであってもよい。監査作業の際には薬剤収容部Ｑが凹部Ｒに位置しているため、薬剤Ｐが収容されて分包シート連続体Ｔが膨らんだ状態であっても、作業者は、支障なく分包シート連続体Ｔを引っ張ることができる。
【００６０】
以下、本実施形態の作用についてまとめる。本実施形態の線引き具１は、インク付与部２、保持部４、支持台５０、及びガイド部６を備え、且つ保持部４を介してインク付与部２が支持台５０に支持された分包シート連続体Ｔに当てられた状態で、ガイド部６が該分包シート連続体Ｔを連なり方向にガイドするように構成されている。そのため、作業者は、例えば、インク付与部２が当てられた分包シート連続体Ｔを連なり方向に引っ張るだけで、分包シート連続体Ｔが連なり方向にガイドされて、該分包シート連続体Ｔに線を引くことができる。このように、作業者は、ペンや定規等の線を引くための道具を準備することなく、線引き具１を準備するだけで、分包シート連続体Ｔに対する線引き作業を行うことができる。
【００６１】
また、上記実施形態では、線引き具１は、分包シート連続体Ｔを挟持する一対の挟持部７８を備え、一対の挟持部７８のうちの一方の挟持部７８は、保持部４を有し、一対の挟持部のうちの他方の挟持部７８は、支持台５０を有しているので、作業者は、一対の挟持部７８を介して、分包シート連続体Ｔを一方の手で把持しつつ、他方の手で分包シート連続体Ｔを把持することができる。そのため、作業者は、両者を持った手元で線引き作業をすることができるので、狭い作業スペースでも線引き作業を行うことができる。また、作業者は、分包シート連続体Ｔ内の薬剤Ｐと一対の挟持部７８とが干渉しないように、一対の挟持部７８を介して分包シート連続体Ｔを挟持することで、分包部Ｃ内の薬剤Ｐを該分包部Ｃの外側から目視しながら線引き作業を行うことができる。そのため、作業者は、分包部Ｃ内の薬剤Ｐが処方箋に基づいているかを確認する監査作業を行いながら、線引き作業を行うことができる。
【００６２】
また、上記実施形態では、一対の挟持部７８同士の間には、分包シート連続体Ｔの複数の分包部Ｃの通過を許容するための凹部Ｒが形成されている。そのため、作業者は、分包シート連続体Ｔを該凹部Ｒに位置させて線引き作業を行うことで、分包シート連続体Ｔが一対の挟持部７８に引っ掛かることなく、分包シート連続体Ｔに線を引くことができる。このように、作業者は、スムーズに線引き作業を行うことができる。
【００６３】
また、一対の挟持部７８は、作業者が把持するための把持部となっているので、作業者は、一対の挟持部７８を一方の手だけでしっかりと把持することができ、安定して線引き作業を行うことができる。更に、上記実施形態では、一対の挟持部７８の一端同士が接続されているので、線引き具が一体的に構成され、扱い易い。
【００６４】
即ち、上記実施形態では、作業者は、分包シート連続体Ｔを一対の挟持部７８に対して位置合わせする作業、一方の手で一対の挟持部７８を介して分包シート連続体Ｔを挟持し、且つ他方の手で分包シート連続体Ｔを把持する作業、分包シート連続体Ｔを線引き具１に対して長手方向に引っ張る（又は線引き具１を分包シート連続体Ｔに対して長手方向に引っ張る）作業、及び監査作業を含む一連の作業を作業台等の無い場所でも（空中でも）問題なく行うことができる。また、作業者は、手元の狭い範囲で上記一連の作業を行うことができるので、作業スペースに余裕が無い場合でも、容易に作業することができる。
【００６５】
また、上記実施形態では、線を引く方向に沿って監査作業を行うので、作業者は、略一定の方向に視線を向けながら、線が引かれているかの確認と、監査とを実施することができる。そのため、作業者は、監査に集中することができる。また、作業者は、略一定の方向に視線を向けて作業することができるので、作業者にとって作業性がよいものとなっている。
【００６６】
上記実施形態では、線引き具１は、他端側に第３端面９２１ｃ（ガイド部６）を有しているため、作業者は、該第３端面９２１ｃをガイド部６として線引き作業を行うこともできる。また、作業者は、作業中に、側端面７２１ａ１と第３端面９２１ｃとの間でガイド部６を適宜変更してもよい。即ち、上記実施形態では、線引き作業の作業性に応じて、ガイド部６を変更することができるので、作業者にとって作業性がよいものとなっている。
【００６７】
上記実施形態では、一対の挟持部７８のうちの少なくとも一方の挟持部７８が、長辺と短辺とを有する細長い片状の部材で形成されている。そのため、作業者は、該一方の挟持部７８を下側にして線引き具１を把持することで、分包シート連続体Ｔを一方の挟持部７８上に載置した状態で作業をすることができるので、分包シート連続体Ｔが垂れ下がるのが防止され、監査作業を行い易い。
【００６８】
上記実施形態では、軽量で持ち運び可能な線引き具１で分包シート連続体Ｔに線引き作業を行うことができるので、線引き用の装置を薬剤分包装置に取り付けたり、線引き用の装置を備えた薬剤分包装置に入れ替えたりする等、線引き作業のために必要となるコストを削減することができる。
【００６９】
尚、本発明の線引き具１は、上記実施形態に限定されるものではなく、本発明の要旨を逸脱しない範囲内において種々変更を加え得ることは勿論である。
【００７０】
上記実施形態では、線引き具１は、分包シート連続体Ｔの幅方向における両端縁のうちの少なくとも一方の端縁をガイドすることができるように、長手方向に離間して設けられた一対の挟持部７８の側端面７２１ａ１，８２１ａ１及びロック部９の第３端面９２１ｃという、２つのガイド部６を備える場合について説明した。しかしながら、線引き具１は、ガイド部６を少なくとも１つ有していればよい。例えば、図７のように、第１変形例の線引き具１は、ロック部９を備えない構成として、ガイド部６としての側端面７２１ａ１，８２１ａ１を備えていてもよい。
【００７１】
上記実施形態では、第１挟持部７の一端片部７２１ａと第２挟持部８の一端片部８２１ａとが接続手段７Ｊ，８Ｊを介して接続されている場合について説明したが、これに限定されるものではない。例えば、図８に示すように、一対の挟持部７８は、第１挟持部７が第２挟持部８に対して短く形成され、第１挟持部７が第２挟持部８に設けられた収納部５に対して接離するように構成されていてもよい。この場合、第１挟持部７と第２挟持部８とを接続するための接続手段７Ｊ，８Ｊは、一対の挟持部７８の他端側に設けられる。このように、一対の挟持部７８は、一端又は他端のうちの一方の端部同士が接続されていればよい。この場合、第１挟持部７の端面７０３であって、一端側を向く端面７０３がガイド部６となる。第２変形例の線引き具１は、該端面７０３と、第２挟持部８の側端面８２１ａ１との２つのガイド部６を有している。
【００７２】
また、この場合、図９に示すように、第３変形例の線引き具１は、第２挟持部８が一端片部８２１ａを備えない構成として、ガイド部６としての第１挟持部７の端面７０３を有している。
【００７３】
本実施形態では、一対の挟持部７８同士の間には、凹部Ｒが形成されている場合について説明したが、図８及び図９に示すように、一対の挟持部７８同士の間には凹部Ｒが形成されていなくてもよい。
【００７４】
上記実施形態では特に言及するものではないが、図１０に示すように、線引き具１の本体部１０は、分包シート連続体Ｔの幅方向長さに応じてガイド部６の位置を調整できる調整部１１を備えていてもよい。調整部１１は、一対の挟持部７８に沿って長手方向に移動可能に構成されていてもよい。調整部１１は、短手方向で対向する一対の側部１１０を有する。即ち、第４変形例の線引き具１では、該側部１１０における他端側を向く端面１１ａが、ガイド部６として機能している。線引き具１は、調整部１１を備えることによって、様々な幅の分包シート連続体Ｔをガイドすることができる。調整部１１は、本体部１０に対して着脱可能に構成されていてもよい。
【００７５】
上記実施形態では、インク付与部２及びインク吸収体Ｖが交換可能に構成されている場合について説明したが、これに限定されるものではない。インク付与部２及びインク吸収体Ｖのみならず、インク貯留部３自体が交換可能に構成されていてもよい。また、例えば、インク付与部２及びインク貯留部３は、筆記具としてのフェルトペン等のような一体的なものとして、本体部１０に対して着脱可能に構成されていてもよい。インク貯留部３自体を交換可能に構成したり、インク付与部２及びインク貯留部３として筆記具を使用したりすることで、線の色も自在に変更することができる。特に後者の場合、インク付与部２及びインク貯留部３の入手が容易なので、汎用性が高い。
【００７６】
上記実施形態では、一対の挟持部７８は、一端同士が接続されている場合について説明したが、これに限定されるものではない。一対の挟持部７８同士は、分離されて構成されていてもよい。この場合、例えば、線引き具１の使用時に一対の挟持部７８が接合される。
【００７７】
上記実施形態では、シール部Ｓは、シールがされていない非シール部と比較して剛性が高く、安定して線を引けるので、作業者が第１シール部Ｓ１に線を引く態様を説明したが、例えば、作業者は、分包シート連続体Ｔの折り曲げ部Ｗの近傍の部分であって、シール部Ｓが形成されていない部分に線を引いてもよい。
【００７８】
上記実施形態では、第１挟持部７の側端面７２１ａ１と第２挟持部８の側端面８２１ａ１とがガイド部６である場合について説明したが、これに限定されるものではない、第１挟持部７の側端面７２１ａ１と第２挟持部８の側端面８２１ａ１のうちの少なくとも一方がガイド部６であってもよい。また、ガイド部６は、側端面７２１ａ１，８２１ａ１や第３端面９２１ｃに限られず、一対の挟持部７８におけるその他の部分に設けられていてもよいし、一対の挟持部７８とは別体として設けられていてもよい。
【００７９】
上記実施形態及び変形例では、一対の挟持部７８のうちの少なくとも一方の挟持部７８が、長辺と短辺とを有する細長い片状の部材で形成されている場合について説明したが、これに限定されるものではない。一対の挟持部７８は、分包シート連続体Ｔの幅方向の長さよりも短い部材で形成されていてもよい。この場合、作業者は、分包シート連続体Ｔを該分包シート連続体Ｔの幅方向における他端側から線引き具１を介して挟持して、第１シール部Ｓ１に線を引いてもよい。
【符号の説明】
【００８０】
１…線引き具、１０…本体部、２…インク付与部、３…インク貯留部、４…保持部、５…収納部、５０…支持台、６…ガイド部、７…第１挟持部、８…第２挟持部、９…ロック部、２１…湾曲部、２２…胴部、３１…貯留部本体、３２…蓋部、４１…先端面、４２…保持手段（突出部）、７０，８０…凹状部、７８…一対の挟持部、７１…第１挟持片、７２…第１延出片、８１…第２挟持片、８２…第２延出片、９１…ベース部、９２…側壁部、３１１…側壁、３２１…スカート部、７０１…嵌合孔、７０２…移動孔、７２１，８２１…長手片部、７２１ａ，８２１ａ…一端片部、７２１ｂ，８２１ｂ…他端片部、７２１ｃ，８２１ｃ…中央片部、７２１ａ１、８２１ａ１…側端面、７２２，８２２…短手片部、７２２ａ…掛止部、８０１…凸部、８０２…突起片、８１１…第１片部、８１２…第２片部、９２１…第１側壁部、９２２…第２側壁部、９２１ａ…第１端面、９２１ｂ…第２端面、９２１ｃ…第３端面、９２２ａ…爪片、Ｃ…分包部、Ｈ…受入凹所、Ｋ…基台、Ｂ１，Ｂ２…付勢手段、Ｍ…ミシン目、Ｐ…薬剤、Ｑ…薬剤収容部、Ｒ…凹部、Ｓ…シール部、Ｓ１…第１シール部、Ｓ２…第２シール部、Ｔ…分包シート連続体、Ｔ１…第１シート、Ｔ２…第２シート、Ｖ…インク吸収体、Ｗ…折り曲げ部
【図１】
2018082992.tif 000003
【図２】
2018082992.tif 000004
【図３】
2018082992.tif 000005
【図４】
2018082992.tif 000006
【図５】
2018082992.tif 000007
【図６】
2018082992.tif 000008
【図７】
2018082992.tif 000009
【図８】
2018082992.tif 000010
【図９】
2018082992.tif 000011
【図１０】
2018082992.tif 000012